(57)【要約】【課題】従来の方法での飲食容器類の製作は、価格も高く、取り扱いに気を使う石膏型の原型は敬遠され、平板の土の周縁部を指先で折り曲げたりする、変形容器しか作れず高台が無かった。そのため、初心者はもちろん熟練者でも、原型が無くて作品を作ることは困難であったため、安価で簡単に作れる成型用の原型が待望されていた。【解決手段】樹脂やセラミックスの硬質材からなる原型の代表図１は、着脱自在な底板２０を備えた成型用本体１と高台成型具３で構成し、繰り返しの使用に耐え、共に生乾きの成型土を着脱自在な底板と共に押し出す働きを備えて、成型用本体１は、容器上部の解放側に押し出す働きと下部底板側に押し出す働きの二つの働きを可能にして、一つの原型から大きさの異なる容器を、湿気漏れを無くす高台も付いて、見栄えのする形状に簡単に製作でき、価格も安価な飲食容器類製作の原型を提供する。【選択図】図１
2011051326.tif 000002
【特許請求の範囲】
【請求項１】
合成樹脂及びセラミックスを含む硬質材からなり、上部が解放された有底筒体形状の成型用本体１と当該成型用本体１の底部の形状に合わせた高台成型具３からなる原型であり当該成型用本体と当該高台成型具の底部は、着脱自在な底板２０，３１で構成されていることを特徴とする陶磁器成型用の原型。
【請求項２】
前記成型用本体１は、壁面部１０と前記着脱自在な底板２０とからなり、当該底板２０は、当該壁面部１０の底部に設けた嵌合部１１に装着され、前記高台成型具３は、環状に形成されて、底面の少なくとも一部分が開口した断面Ｖ字形状の高台本体３０と当該断面Ｖ字形状の底面の開口部に敷かれる前記着脱自在な底板３１とからなることを特徴とする請求項１記載の陶磁器成型用の原型。
【請求項３】
長尺状の、把持部と該把持部の軸方向一端側に、回動自在に軸着された歯車とからなり、当該歯車の周面に形成された歯部は、先端が鋭角をなすことを特徴とする歯車付き器具。
【発明の詳細な説明】
【技術分野】
【０００１】  本発明は、陶器や磁器など容器類製作の原型に関するものである。
【背景技術】
【０００２】  作陶時、従来では手作りで容器類などを平板の土から製作するとき、初心者、熟練者を問わず民芸調や見慣れた市販品に似た形状にするには、熟練した技術と経験に加え手間を要するため轆轤製作に頼ることが多く、価格も安価で誰でも手作りで簡単につくれる有効な陶磁器の成型用原型が無かった。【０００３】  従来の方法では、価格が高く取り扱いに気を使う石膏型の原型は敬遠され、平板の土の周縁部を指先で折り曲げたりする、変形容器しか作れずそのうえ高台が無かった。
そのため、高台の無い容器の底には釉薬を付けられず、素焼きの地肌が剥き出しで、水分や食品の湿気が容器の底から漏れテーブル上を汚していた。
そこで、湿気漏れを無くし、個性豊かな民芸調や一般的に見慣れた飲食容器類の製作において、価格が安く簡単に作れる原型を使い、見栄えがし市販品にも見劣りしない、個性豊かな手作り作品を製作できる器具が、初心者だけでなく、陶磁器製作愛好家の中でも強く待望されていた。【０００４】  特許文献１にある円形皿類の成形に関するもので、成型用型本体を成型機に装着する基礎体と、粘度面と接触する成形面とで構成し、基礎体を通気性を有する多孔質の硬質材で形成すると共に、成形面を石膏で形成したことを特徴とする皿類成型用型の記載があった。
【先行技術文献】
【特許文献】
【特許文献１】実用新案公開平７−４０１０９号公報
【発明の概要】
【発明が解決しようとする課題】
【０００５】  以上に述べた特許文献１の発明では、成型用の原型は石膏で作られており、形抜きされた石膏は皿の大きさにより重量も大きく変化しやすく、その上価格が高く、重いうえに落とすと破損しやすいので取り扱いに慎重さを要求され気を使うのと、柔らかい土を石膏面に沿ってナイフで象りする時、石膏の周縁部を傷つけ易く、また石膏が土の水分を吸い生乾き状態では、石膏の成形面と成形土とが離れにくい欠点を持っている。【０００６】  本発明は、このような従来の問題点を解決しようとするものであり、原型は、持って軽く、割れにくいので扱い易く、原型の成形面と成形土が離れやすく、初心者はもとより熟練者でも、民芸調から市販品に近い形状の容器類を、手作りで簡単に製作できる飲食容器類製作の原型を提供するものである。
【課題を解決するための手段】
【０００７】  上記課題を解決するため、本発明では、新規な陶磁器成形用の原型を提供する。すなわち、合成樹脂及びセラミックスを含む硬質材からなり、上部が開放された有底筒体形状の成型用本体１と当該成型用本体１の底部の形状に合わせた高台成型具３からなる原型であり、当該成型用本体と当該高台成型具の底部は、着脱自在な底板２０，３１で構成されることを特徴とする陶磁器成型用の原型を提供する。【０００８】  また、前記成型用本体において、壁面部１０と当該壁面部にたいして前記着脱自在な底板２０とからなり、当該底板２０は、当該壁面部の底部に設けた嵌合部１１に装着され、前記高台成型具３は、環状に形成されて、底面の少なくとも一部分が開口した断面Ｖ字形状の高台本体３０と当該断面Ｖ字形状の底面に敷かれる前記着脱自在な底板３１とからなることを特徴とする、陶磁器成型用の原型を提供する。【０００９】  更に本発明では、前記課題を解決するため歯車付き器具を提供する。すなわち、長尺状の把持部４１と該把持部の軸方向一端側に回動自在に、軸着された歯車４０とからなり当該歯車の周面に形成された歯部は、先端が鋭角をなすことを特徴とする歯車付き器具であり、この器具における歯車は、望ましくは、合成樹脂で形成される、何故ならば、生乾きの成形土が歯と歯の間に接着しにくいからである。
【発明の効果】
【００１０】  上述したように本発明の原型は、次のような効果を奏する。
本発明にかかる、陶磁器成形用の原型によれば、一つの成形用本体から、二つの大きさの違う容器類を製作することが出きる。
一つめは、成型用本体壁面部の上部が解放された側から、平板の土を挿入して成形し、そして、生乾きの成形土を底板と共に上部の解放側へ押し出し製作する方法である。
二つめは、大きい容器類製作で、成型用本体底板の下部外側から、平板の土を、被せるようにして成形する、そして、生乾きの成形土を前記成型用本体底板と共に、底部外側に押し出し制作する方法であり、今まで不可能であった、平板の土から手つくりで簡単に、容器類を製作出きるのである。【００１１】  また、いままで手作りでは、見栄えのする高台製作は不可能であった。しかし、高台成型具の使用により、市販品に負けない実用的な高台製作が可能になり、容器類の底部に釉薬を付けることが出来て、湿気漏れを無くしテーブル上を汚す事が無くなった。【００１２】  また、いままでは、製作する容器の成形面と生乾きの成形土を剥がしやすくするため、薄い紙や布などを間に入れる工夫をしていたが、紙などは、土の水分を吸い、縮んで成形土の表面に皺が入って困っていた。しかし、この原型の使用で、間に何も入れる必要がなく底板を生乾きの成形土と共に、押し出す成形方法で、生乾きの成形土が剥がしやすくなり表面が奇麗な見栄えのする容器類が製作できるようになったのである。
【図面の簡単な説明】
【００１３】
【図１】飲食容器類の原型代表図
【図２】容器底部平面図
【図３】図１の底板及び壁面底部と嵌合部の拡大断面図
【図４】底板平面図
【図５】底板側面図
【図６】紐状に伸ばした陶磁器土と高台成型具の一部断面斜視図
【図７】高台成型具平面図
【図８】高台成型具断面Ｖ字形状の拡大断面図
【図９】断面Ｖ字形状の底部の開口部の底板平面図
【図１０】断面Ｖ字形状底部の開口部の底板側面図
【図１１】歯車付き器具側面図
【図１２】歯車付き器具正面図
【図１３】歯車部の正面拡大図
【発明を実施するための形態】
【００１４】  以下、本発明の実施の形態を図１〜図１４に基づいて説明する。
【００１５】  この図１に示す原型は、皿類や鉢物、飲み物の容器類を製作する原型の代表である。
原型を構成している、容器類の成型用本体１は、壁面部１０と該壁面部の下端に嵌合する底板２０とからなる成型用本体１を形成し、また、高台成型具３は、この当該底板２０よりも小さい径で形成されている。
そして、容器類の製作方法は、陶磁器土を、作業板の上で成型用本体１より少し大きめの平板の土にして、前記成型用本体１を平板の土に乗せて当該作業板と共に持ち上げ反転させ、当該作業板を取り除くと、当該成型用本体１の上に平板の土が乗るので、軟らかいスポンジや乾燥した柔らかい砂袋等を利用して、当該成型用本体１の形状に成形する。
そして、当該成型用本体１の周縁部に沿って、成形土の余分な部分を切り取り、当該周縁部をなめし皮で仕上げると、当該成型用本体側の成形土が製作できるのである。
なお、図１に示した成形用本体１は、逆向き円錐台形状であるが、その他にも円筒形状、三角柱形状、四角柱形状等各種形状に形成できる。
【００１６】  次に、前記原型の容器類製作方法を基にして、一つの前記成型用本体１から、二つの大きさの違う容器類を制作する成形方法を紹介する。
一つめは、前記作業板の上で平板にした陶磁器土の中心部の上に、当該成型用本体１の壁面部１０の上部開放側を接着させて、当該作業板と共に持ち上げて反転させ、当該作業板を取り除くと、当該成型用本体１の上に平板にした陶磁器土が乗るので、その後は、前記の容器類製作方法にそって成形する。そして、当該壁面部１０の内側の面に出来た生乾きの成形土２を、当該壁面部１０の上部開放部側へ、前記底板２０と共に押し出し製作する成形方法である。
二つめは、大きめの容器類を製作する方法で、平板の陶磁器土を、前記成型用本体１の当該底板２０の底部外側から中心部を合わせて被せる。その後は、前記の容器類製作方法にそって成形する。そして、生乾きの成形土２を、底部の外側へ当該底板２０と共に押し出し製作する成形方法である。
【００１７】  図１に示す原型の高台成形具３は、前記成型用本体１の底部に接着して、容器の安定と本焼き中に高温で溶けた容器底部の釉薬が、窯の中で容器類を乗せた棚板と接着するのを防ぎ、湿気漏れも防ぐ釉薬を底部に付けることが出来、実用的で見栄えのする容器類が製作できるのである。
成形方法は、前記高台成型具３の断面Ｖ字形状の上部開放部より、紐状に伸ばした陶磁器土を押し込み成形する（後述の図６参照）。そして、成形土が形崩れをしない生乾き状態で、当該断面Ｖ字形状の底部の開口部３２に敷かれた、前記底板３１と共に当該開口部３２より押し出し形抜きして、前記成型用本体１底部に接着剤で接着するのである。
【００１８】  図２に示す環状の前記高台成型具３の四箇所に設けた３３は、当該高台成型具の断面Ｖ字形状の枠（内壁面と外壁面）を繋ぐ連結具であり、前記底部の開口部３２に敷かれた、前記底板３１の落下防止の受け具でもある。
【００１９】  図３、４、５に示す様に、前記成型用本体の底板２０は、断面における周縁部を丸い円形状にしているのは、前記壁面部１０の底部に設けた嵌合部１１に装着し易く、生乾き状態の成形土を、押し出す時に当該成型用本体側の成形土底部に、押し傷を入れないためである。
【００２０】  図６は、前記高台成型具３において、前記紐状に伸ばした陶磁器土を断面Ｖ字形状の上部開放部より押し込み製作する方法を示している。そして、前記着脱自在な底板３１が敷かれている状態の図である。
【００２１】  図７に示す前記高台成型具３では、前記断面Ｖ字形状底部の開口部に、前記着脱自在な底板３１が敷かれており、前記連結具３３は、隠れた状態になっている。
【００２２】  図８は、前記高台成型具の拡大断面図である。この図に示す様に、前記底板３１は、高台本体３０の底面をふさいでいる。
【００２３】  図９、１０に示す前記底板３１は、前記高台成型具の断面Ｖ字形状の底部の、前記開口部の３２に敷かれる、前記着脱自在な底板３１であり、当該断面Ｖ字形状の上部開放部より押し込まれた、前記紐状に伸ばした陶磁器土の食み出し防止と生乾き状態の成形土を、当該底板３１と共に、当該断面Ｖ字形状の底部の開口部３２から上部の開放部側へ押し出すはたらきを持つのである。
【００２４】  図１１，１２，１３に示す歯車付き器具の４は、型崩れしない、生乾きの成形土の表面部に押し傷を入れ、接着力を高めることが出来る器具である。
そして、前記高台成型具の断面Ｖ字形状の生乾きの成形土の上部面や、前記成形用本体の生乾きの成形土の底部面に、回転する歯車４０の歯先で押し傷を入れ、接着剤を塗布すると、傷跡に接着剤が浸入しやすくなり、接着力効果を高めることができるのである。
【００２５】  また、この発明では、土資源の有効活用ができる。それは、轆轤成形では、轆轤を回転させ、手に何度も水を付けて土の芯だし作業、馴らし作業、成形の各作業などで、土の大事な粘性の成分が流れ落ちる。
また、成形土の乾燥過程で生じる作業に、高台を削りだす大事な作業があり、それは、生乾き状態での容器底部の成形土を、轆轤を回転させながら、成形用カンナで削る、高台の削り出し作業であり、高台を削りだす時に発生する、薄く削り取られた残土は、乾燥が急速に進むため、この工程でも、土の粘性成分が失われる。
そのため、粘性成分再生の練り直し作業に必要な時間と労力を要するが、この原型の使用では、練った土を平板にしてそのまま使い、原型の周縁部に沿って、切り取り製作するので、粘性成分は失われることなく、手間をかけずにそのまま練り込むだけで、使用可能な陶磁器土になるのである。
【産業上の利用可能性】
【００２６】  日本国内の、陶磁器愛好家は、公民館のサークルや市民クラブ、陶芸教室等で製作活動中を含めて、約５００万人規模の記載がある。
旧来の石膏型では、価格が高く石膏材は可溶性で廃棄処分が困難な固形物であり、公害問題となっているのに比べ、この問題を解消する樹脂製やセラミックスからなる原型は、製造変更でも、用途に的確に素早く対応出きる特徴を持っており量産も可能であり、コストも安価で、環境に優しい製造方法である。
また各容器のデザインは、旧来よりそれほど大きな変化はしていないのと再利用資源材としても活用できる。
【符号の説明】
【００２７】１  成型用本体
２  成形土
３  高台成型具
４  歯車付き器具
１０壁面部
１１壁面部底の底板嵌合部
２０成型用本体底板
３０高台本体
３０ａ紐状に伸ばした陶磁器土
３１高台成型具の断面Ｖ字形状開口部の底板
３２高台成型具の断面Ｖ字形状底部の開口部
３３高台成型具の断面Ｖ字形状の枠（内壁面と外壁面）を繋ぐ連結具
４０歯車
４１取っ手部
４２歯車連結軸
【図１】
2011051326.tif 000003
【図２】
2011051326.tif 000004
【図３】
2011051326.tif 000005
【図４】
2011051326.tif 000006
【図５】
2011051326.tif 000007
【図６】
2011051326.tif 000008
【図７】
2011051326.tif 000009
【図８】
2011051326.tif 000010
【図９】
2011051326.tif 000011
【図１０】
2011051326.tif 000012
【図１１】
2011051326.tif 000013
【図１２】
2011051326.tif 000014
【図１３】
2011051326.tif 000015
【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
合成樹脂及びセラミックスを含む硬質材からなり、上部が開放された有底筒体形状の成型用本体１と当該成型用本体１の底部の形状に合わせた高台成型具３からなる原型であり、当該成型用本体１と当該高台成型具３の底部は、着脱自在な底板２０，３１で構成されており、
前記成型用本体１は、壁面部１０と前記着脱自在な底板２０とからなり、当該底板２０は、当該壁面部１０の底部に設けた嵌合部１１に装着され、前記高台成型具３は、環状に形成されて、底面の少なくとも一部分が開口した断面Ｖ字状の高台本体３０と当該断面Ｖ字形状の底面の開口部に敷かれる前記着脱自在な底板３１とからなることを特徴とする陶磁器成型用の原型。
【手続補正２】
【補正対象書類名】明細書
【補正対象項目名】０００７
【補正方法】変更
【補正の内容】
【０００７】
上記課題を解決するため、本発明では、新規な陶磁器成形用の原型を提供する。すなわち合成樹脂及びセラミックスを含む硬質材からなり、上部が開放された有底筒体形状の成型用本体１と当該成型用本体１の底部の形状に合わせた高台成型具３からなる原型であり、当該成型用本体１と当該高台成型具３の底部は、着脱自在な底板２０，３１で構成されており、
前記成型用本体１は、壁面部１０と前記着脱自在な底板２０とからなり、当該底板２０は、当該壁面部１０の底部に設けた嵌合部１１に装着され、前記高台成型具３は、環状に形成されて、底面の少なくとも一部分が開口した断面Ｖ字状の高台本体３０と当該断面Ｖ字形状の底面の開口部に敷かれる前記着脱自在な底板３１とからなることを特徴とする陶磁器成型用の原型を提供する。
【手続補正３】
【補正対象書類名】明細書
【補正対象項目名】０００８
【補正方法】削除
【補正の内容】